(57)【特許請求の範囲】
【請求項１】
電極シートとしての正極シート及び負極シートの金属箔部が複数枚積層された状態でスポット溶接により接合されている電極体を備える蓄電装置であって、
前記電極シートの前記金属箔部は積層方向のそれぞれ最も外側に配置される第１の最外グループ及び第２の最外グループと、両最外グループの間に配置される１つ以上の中間グループとをそれぞれ複数枚の前記金属箔部で構成し、
隣り合う２つのグループの前記金属箔部同士が溶接部で接合されて、全ての前記正極シートの前記金属箔部同士及び全ての前記負極シートの前記金属箔部同士がそれぞれ電気的に接続されており、
前記第１の最外グループ及び前記第２の最外グループの少なくとも一方を構成する前記電極シートの前記金属箔部は、隣接する前記中間グループの前記金属箔部に形成された前記溶接部の位置に切り欠き部又は貫通孔が形成され、当該溶接部の位置において前記積層方向に存在する前記金属箔部は、前記中間グループの前記金属箔部及び当該中間グループに隣り合う１つのグループの前記金属箔部のみであることを特徴とする蓄電装置。
【請求項２】
前記中間グループは複数設けられている請求項１に記載の蓄電装置。
【請求項３】
前記積層方向における前記溶接部の両端部は、当該溶接部を介して接合されていない前記第１の最外グループ又は前記第２の最外グループ又は前記中間グループに設けられた前記切り欠き部又は貫通孔に露出している請求項２に記載の蓄電装置。
【請求項４】
前記溶接部はアーク溶接で形成されている請求項１〜請求項３のいずれか一項に記載の蓄電装置。
【請求項５】
請求項１〜請求項４のいずれか一項に記載の蓄電装置の構造を有する二次電池。
【発明の詳細な説明】
【技術分野】
【０００１】
本発明は、蓄電装置及び二次電池に係り、詳しくは電極シートの接合構造に特徴を有する蓄電装置及び二次電池に関する。
【背景技術】
【０００２】
二次電池やキャパシタのような蓄電装置は再充電が可能であり、繰り返し使用することができるため電源として広く利用されている。一般に、容量の大きな蓄電装置は電極体を収容するケースを備え、そのケース内に電極体が収容されている。電極体には矩形状の正極用電極シート及び負極用電極シートがセパレータを挟んで交互に積層された積層型の電極体と、帯状に形成された正極用電極シート及び負極用電極シートがセパレータを挟んで積層状態で略長円柱状に巻回されて構成された巻回型の電極体とがある。
【０００３】
電極体からの電力の取り出しは、正極用電極シート及び負極用電極シートに接続された電極端子を通して行われる。そのため、正極用電極シート及び負極用電極シートを正極端子及び負極端子に電気的に接続するために、正極用電極シート及び負極用電極シート同士を溶接する必要がある。そして、積層型の電極体では取り出す電力量が大きくなると、正極用電極シート及び負極用電極シートの枚数は数十枚以上となる。また、巻回型の電極体でも帯状の正極用電極シート及び負極用電極シートが巻回されて重なった部分（積層部分）の層数は数十層以上になる。
【０００４】
しかし、溶接すべき電極シートの積層数が多い状態で図７に示すように、多数枚の金属箔部５１を一対の溶接用電極棒５２ａ，５２ｂで挟んでスポット溶接を行おうとしても、一度に多数の枚数の金属箔部５１を溶接することはできない。例えば、アルミ箔の溶接のとき溶接用電極棒５２ａ，５２ｂを銅にするとアルミが溶けて、溶接棒に付着する。また、溶接用電極棒５２ａ，５２ｂをカーボンにすると、大電流が流せないため、溶接可能な箔の枚数が減る。
【０００５】
従来、正極電極と負極電極とをセパレータを介して対向させつつ積層した積層体から同一方向に引き出された複数の正極集電タブ及び複数の負極集電タブを、それぞれ正極リード端子及び負極リード端子と溶接で接続する場合、溶接可能な枚数ずつ、溶接位置をずらして溶接する方法が提案されている（特許文献１参照）。この方法では、図８（ａ），（ｂ）に示すように、積層体５４から同一方向に引き出された複数の正極集電タブ５５及び図示しない複数の負極集電タブを、それぞれ正極リード端子５６及び図示しない負極リード端子と溶接で接続する場合、溶接可能な枚数ずつ、溶接位置をずらして溶接する。
【０００６】
また、積層体の横断面形状に対応する外形輪郭を有する構成部材を板材の打ち抜きによって形成し、この構成部材を順次積層して一体化する積層体の製造方法が提案されている（特許文献２参照）。この方法は、図９（ａ）に示すように、構成部材５８の打ち抜き成形とともに、この構成部材５８を貫通する逃げ穴５９を設け、複数個の構成部材５８を積層してレーザー光を出射して２個の構成部材５８を、溶接部６０を介して溶接一体化する。この溶接により溶接部６０の上端部には溶接盛り上がり部６１が形成される。その後、その上方に積層する構成部材５８をその逃げ穴５９が下方の構成部材５８の溶接盛り上がり部６１に合致するように積層して押圧し、構成部材５８の逃げ穴５９を除く他の位置にレーザー光を出射して順次一体化する。
【０００７】
また、プレスで打ち抜かれた鉄心用の抜板をレーザー溶接する鉄心の製造方法も提案されている（特許文献３参照）。この方法で製造された鉄心６３は、図９（ｂ）に示すように、溶接孔６４と該溶接孔６４と並んで溶接逃げ孔６５を有する抜板６６が、溶接部６７により接合されている。鉄心６３の製造は、溶接孔６４と該溶接孔６４と並んで溶接逃げ孔６５を有する抜板６６を１枚積層毎に溶接孔６４を移動して積層毎に溶接孔６４からレーザー溶接後、抜板６６の溶接孔６４での溶接側と続いて積層される抜板６６の溶接逃げ孔６５とを位置合わせして積層し、続いて積層される抜板６６の溶接孔６４からレーザー溶接することを繰り返す。
【先行技術文献】
【特許文献】
【０００８】
【特許文献１】特開２００８−６６１７０号公報
【特許文献２】特開平１０−２４４６５０号公報
【特許文献３】特開平１０−３１３５５６号公報
【発明の概要】
【発明が解決しようとする課題】
【０００９】
特許文献１に記載の方法では、正極集電タブ５５及び負極集電タブをそれぞれ溶接可能な枚数からなる複数のグループに分けて、各グループの正極集電タブ５５及び負極集電タブを正極リード端子５６あるいは負極リード端子に対する溶接箇所をずらして接続する。そのため、正極集電タブ５５及び負極集電タブの枚数が多くなると、正極リード端子５６あるいは負極リード端子の溶接面積を広く確保しなければならない。
【００１０】
また、特許文献２及び特許文献３の方法は、いずれも金属箔に比べて厚い部材を溶接部で接合して積層一体化するため、積層される部材である構成部材５８や抜板６６を１枚ずつ順に重ねた状態でレーザー溶接を繰り返す。したがって、多数枚の溶接には手間が掛かり、電極シートの金属箔部のように薄くて多数枚存在するものの一体化に関しては何ら配慮がなされていない。また、レーザー溶接はスポット溶接に比べて設備費が高く、しかも、アルミニウムやアルミニウム合金のように反射が大きいものは溶接が難しい。
【００１１】
本発明は、前記の問題に鑑みてなされたものであって、その目的は、電極シートとしての複数枚の正極シート及び複数枚の負極シートの金属箔部が溶接により接合されて構成される電極体の金属箔部の枚数が多い場合でも、支障なく全ての金属箔部を電気的に接続された状態に溶接することができる電極体を有する蓄電装置及び二次電池を提供することにある。
【課題を解決するための手段】
【００１２】
前記の目的を達成するため、請求項１に記載の発明は、電極シートとしての正極シート及び負極シートの金属箔部が複数枚積層された状態でスポット溶接により接合されている電極体を備える蓄電装置である。そして、前記電極シートの前記金属箔部は積層方向のそれぞれ最も外側に配置される第１の最外グループ及び第２の最外グループと、両最外グループの間に配置される１つ以上の中間グループとをそれぞれ複数枚の前記金属箔部で構成し、隣り合う２つのグループの前記金属箔部同士が溶接部で接合されて、全ての前記正極シートの前記金属箔部同士及び全ての前記負極シートの前記金属箔部同士がそれぞれ電気的に接続されている。前記第１の最外グループ及び前記第２の最外グループの少なくとも一方を構成する前記電極シートの前記金属箔部は、隣接する前記中間グループの前記金属箔部に形成された前記溶接部の位置に切り欠き部又は貫通孔が形成され、当該溶接部の位置において前記積層方向に存在する前記金属箔部は、前記中間グループの前記金属箔部及び当該中間グループに隣り合う１つのグループの前記金属箔部のみである。
【００１３】
この発明では、複数枚の金属箔部はそれぞれ最も外側に配置される第１の最外グループ及び第２の最外グループと、両最外グループの間に配置される１つ以上の中間グループとがそれぞれ複数枚で構成され、隣り合う２つのグループの金属箔部同士が溶接部で接合されて、全ての正極シートの金属箔部同士及び全ての負極シートの金属箔部同士がそれぞれ電気的に接続されている。したがって、正極シートの金属箔部の一部が正極用集電端子を介して蓄電装置の正極端子に電気的に接続されると全ての正極シートが正極端子に電気的に接続される。また、負極シートの金属箔部の一部が負極用集電端子を介して蓄電装置の負極端子に電気的に接続されると全ての負極シートが負極端子に電気的に接続される。また、第１の最外グループ及び第２の最外グループの少なくとも一方を構成する電極シートの金属箔部は、隣接する中間グループの金属箔部に形成された溶接部の位置に切り欠き部又は貫通孔が形成され、当該溶接部の位置において積層方向に存在する金属箔部は、中間グループの金属箔部及び当該中間グループに隣り合う１つのグループの金属箔部のみである。したがって、電極シートとしての複数枚の正極シート及び複数枚の負極シートの金属箔部が溶接により接合されて構成される電極体の金属箔部の枚数が一度の溶接では溶接できない程多い場合でも、支障なく全ての金属箔部を電気的に接続された状態に溶接することができる。
【００１４】
請求項２に記載の発明は、請求項１に記載の発明において、前記中間グループは複数設けられている。この発明では、中間グループが１つ設けられている場合に比べて、接合すべき金属箔部の枚数が多い場合に容易に対応することができる。
【００１５】
請求項３に記載の発明は、請求項２に記載の発明において、前記積層方向における前記溶接部の両端部は、当該溶接部を介して接合されていない前記第１の最外グループ又は前記第２の最外グループ又は前記中間グループに設けられた前記切り欠き部又は貫通孔に露出している。したがって、この発明では、溶接部の端部が金属箔部の全厚みの領域よりはみ出すことが無い。
【００１６】
請求項４に記載の発明は、請求項１〜請求項３のいずれか一項に記載の発明において、前記溶接部はアーク溶接で形成されている。したがって、この発明では金属箔部がアルミニウムやアルミニウム合金のようにレーザー溶接がし難い材質であっても容易に溶接することができる。また、アーク溶接の設備は、レーザー溶接の設備に比べて低コストとなる。
【００１７】
請求項５に記載の発明は、請求項１〜請求項４のいずれか一項に記載の蓄電装置の構造を有する二次電池である。したがって、この発明の二次電池は請求項１〜請求項４のいずれか一項に記載の発明と同様の効果を有する。
【発明の効果】
【００１８】
請求項１〜請求項５に記載の発明によれば、電極シートとしての複数枚の正極シート及び複数枚の負極シートの金属箔部が溶接により接合されて構成される電極体の金属箔部の枚数が多い場合でも、支障なく全ての金属箔部を電気的に接続された状態に溶接することができる電極体を有する蓄電装置及び二次電池を提供することができる。
【図面の簡単な説明】
【００１９】
【図１】（ａ）は第１の実施形態の電極体の概略斜視図、（ｂ）は正極シートの模式図、（ｃ）は負極シートの模式図、（ｄ）はセパレータの模式図。
【図２】（ａ）は金属箔部の溶接部で接合したい箇所を示す模式図、（ｂ）は電極シートの金属箔部の接合構造を示す模式平面図、（ｃ）は（ｂ）の部分模式正面図、（ｄ）は溶接前の金属箔部の模式平面図。
【図３】（ａ）は第２の実施形態の電極シートの金属箔部の接合構造を示す模式平面図、（ｂ）は（ａ）の部分模式正面図、（ｃ）は溶接手順を説明する模式平面図。
【図４】（ａ），（ｂ），（ｃ）はそれぞれ別の実施形態における電極シートの金属箔部の接合構造を示す模式平面図。
【図５】（ａ）は別の実施形態の金属箔部の接合構造を示す模式平面図、（ｂ）は模式正面図、（ｃ），（ｄ）はそれぞれ別の実施形態の金属箔部の接合構造を示す模式正面図。
【図６】別の実施形態の電極体の概略斜視図。
【図７】多数枚の電極シートをスポット溶接する場合の問題を説明する模式図。
【図８】（ａ），（ｂ）は従来技術を示す斜視図。
【図９】（ａ）は別の従来技術を示す断面図、（ｂ）は別の従来技術を示す断面図。
【発明を実施するための形態】
【００２０】
（第１の実施形態）
以下、本発明を具体化した第１の実施形態を図１及び図２にしたがって説明する。
図１（ａ）に示すように、電極体１０は、電極シートとして複数枚の正極シート１１及び複数枚の負極シート１２が正極シート１１と負極シート１２の間にシート状のセパレータ１３が介在される状態で積層された積層型の電極体である。正極シート１１及び負極シート１２は、全体がアルミニウム合金箔や銅箔等の金属箔で形成され、正極シート１１及び負極シート１２を集電端子に電気的に接続する金属箔部を除いた箇所に活物質が塗布されている。
【００２１】
図１（ｂ）に示すように、正極シート１１は、略矩形状に形成されるとともに、矩形の一辺の中央から片側半分（図１（ｂ）では右側半分）に一定幅で凸部１１ａが形成されている。凸部１１ａを除く部分に図示しない活物質が塗布されて活物質塗布部１１ｂが形成され、凸部１１ａが金属箔部を構成している。そして、図１（ａ）に示すように、電極体１０を構成する状態で、凸部１１ａ同士がスポット溶接により接合されて、全ての正極シート１１が電気的に接続されている。
【００２２】
図１（ｃ）に示すように、負極シート１２は、略矩形状に形成されるとともに、矩形の一辺の中央から片側半分（図１（ｃ）では左側半分）に一定幅で凸部１２ａが形成されている。凸部１２ａを除く部分に図示しない活物質が塗布されて活物質塗布部１２ｂが形成され、凸部１２ａが金属箔部を構成している。そして、図１（ａ）に示すように、電極体１０を構成する状態で、凸部１２ａ同士がスポット溶接により接合されて、全ての負極シート１２が電気的に接続されている。
【００２３】
そして、図１（ｄ）に示すように、セパレータ１３は、正極シート１１及び負極シート１２において凸部１１ａ及び凸部１２ａを除去した矩形状に形成されている。そして、セパレータ１３は、正極シート１１及び負極シート１２が短絡しないように、正極シート１１及び負極シート１２の活物質塗布部１１ｂ，１２ｂより一回り大きく形成されている。
【００２４】
電極体１０は、蓄電装置としての二次電池を構成する場合、正極シート１１の凸部１１ａが正極用集電端子に溶接されて正極用集電端子と電気的に接続され、正極用集電端子を介して二次電池の正極端子に電気的に接続される。また、負極シート１２の凸部１２ａが負極用集電端子に溶接されて負極用集電端子と電気的に接続され、負極用集電端子を介して二次電池の負極端子に電気的に接続される。即ち、蓄電装置（二次電池）は、電極シートとしての正極シート１１及び負極シート１２の金属箔部が複数枚積層された状態でスポット溶接により接合されている電極体１０を備える。
【００２５】
次に前記のように構成された電極体１０の電極シートの接合構造を説明する。
凸部（金属箔部）１１ａを正極用集電端子に電気的に接続する場合、個々の凸部１１ａを一括して、一箇所において正極用集電端子に溶接することができれば良いが、凸部１１ａの枚数が多くなると、一括して一箇所で溶接することはできない。また、凸部１２ａの負極用集電端子に対する接続も同じである。そこで、この実施形態では、一部の凸部１１ａを正極用集電端子に電気的に接続することにより、全ての凸部１１ａが正極用集電端子に電気的に接続された状態になり、一部の凸部１２ａを負極用集電端子に電気的に接続することにより、全ての凸部１２ａが負極用集電端子に電気的に接続された状態になるようにする電極シートの接合構造を採用している。
【００２６】
正極シート１１の凸部１１ａの接合構造と、負極シート１２の凸部１２ａの接合構造とは基本的に同じため、正極シート１１の凸部１１ａの接合構造について説明する。図２（ａ）は、電極体１０を構成する全ての正極シート１１の凸部１１ａ（金属箔部）を電気的に接続された構造にするために必要な凸部１１ａと溶接部（接合箇所）１４との関係を示す模式平面図である。凸部１１ａの枚数が一度の溶接で溶接することができない多数枚のため、図２（ａ）に示すように、溶接部１４は、凸部１１ａの積層方向において溶接部１４の長さ方向の一部が重なる状態で複数箇所に設ける必要がある。
【００２７】
しかし、図２（ａ）に示す各溶接部１４の位置は、溶接部１４の一方の端部は積層された凸部１１ａの最外層の凸部１１ａを貫通する位置であるが、他方の端部は積層された凸部１１ａの中間部に位置する。そのため、図２（ａ）に示す状態に溶接部１４が存在する溶接はできない。
【００２８】
この実施形態では、複数の凸部１１ａを複数のグループ（この実施形態では３グループ）に分け、隣り合うグループの全ての凸部１１ａ同士を溶接することで、全てのグループの全ての凸部１１ａ同士が電気的に接続された状態になっている。
【００２９】
詳述すると、図２（ｂ）に示すように、正極シート１１の金属箔部としての凸部１１ａは積層方向のそれぞれ最も外側に配置される第１の最外グループＧ１及び第２の最外グループＧ２と、両最外グループＧ１，Ｇ２の間に配置される１つの中間グループＧ３とをそれぞれ複数枚の凸部１１ａで構成している。隣り合う２つのグループ、即ち第１の最外グループＧ１と中間グループＧ３及び第２の最外グループＧ２と中間グループＧ３の凸部１１ａ同士が溶接部１４で接合されて、全ての正極シート１１の凸部１１ａ同士がそれぞれ電気的に接続されている。隣り合う２つのグループの凸部１１ａ同士は、複数（この実施形態では２つ）の溶接部１４で接合されている。同様にして、全ての負極シート１２の金属箔部（凸部１２ａ）同士がそれぞれ電気的に接続されている。
【００３０】
図２（ｂ），（ｃ）に示すように、両最外グループＧ１，Ｇ２のうちの一方の最外グループである第１の最外グループＧ１の凸部１１ａは、他方の最外グループである第２の最外グループＧ２と中間グループＧ３とを溶接する溶接部１４と対応する箇所に全除去部１５あるいは切り欠き部１６が形成されている。また、他方の最外グループである第２の最外グループＧ２の凸部１１ａは、一方の最外グループである第１の最外グループＧ１と中間グループＧ３とを溶接する溶接部１４と対応する箇所に全除去部１５あるいは切り欠き部１６が形成されている。全除去部１５とは切り欠きの一種で、凸部１１ａが活物質塗布部１１ｂとの境界まで除去された切り欠きを意味し、切り欠き部１６は溶接部１４と対応する箇所の周囲が活物質塗布部１１ｂと反対側まで切り欠かれている。即ち、第１の最外グループＧ１及び第２の最外グループＧ２の少なくとも一方を構成する正極シート１１（電極シート）の凸部１１ａ（金属箔部）は、隣接する中間グループＧ３の金属箔部に形成された溶接部１４の位置に切り欠き部１６あるいは全除去部１５が形成されている。そのため、当該溶接部１４の位置において積層方向に存在する金属箔部は、中間グループＧ３の金属箔部及び当該中間グループに隣り合う１つのグループの金属箔部のみである。
【００３１】
この電極体１０の電極シートの接合構造を製造する場合は、電極体１０を構成する正極シート１１及び負極シート１２を金属箔から形成する際に、各最外グループＧ１，Ｇ２を構成する正極シート１１及び負極シート１２の凸部１１ａ，１２ａの所定位置に、全除去部１５及び切り欠き部１６を形成する。次にそれらの正極シート１１及び負極シート１２を隣り合う正極シート１１及び負極シート１２の間にセパレータ１３が介在する状態で積層する。その結果、図２（ｄ）に示すように、第１の最外グループＧ１と中間グループＧ３及び第２の最外グループＧ２と中間グループＧ３を構成する正極シート１１の凸部１１ａは、第１の最外グループＧ１と中間グループＧ３の境界と反対側の面、及び第２の最外グループＧ２と中間グループＧ３の境界と反対側の面は、空間と面する状態になる。そのため、図２（ｄ）に２点鎖線で示すように、第１の最外グループＧ１と中間グループＧ３の境界と反対側の面との間で溶接棒１７ａ，１７ｂを用いてスポット溶接の一種であるアーク溶接で両グループＧ１，Ｇ３を溶接することができる。同様にして、第２の最外グループＧ２と中間グループＧ３の境界と反対側の面との間で溶接棒１７ａ，１７ｂを用いてアーク溶接で両グループＧ２，Ｇ３を溶接することができる。
【００３２】
前記のように構成された電極体１０は、両最外グループＧ１，Ｇ２及び中間グループＧ３の凸部１１ａ及び凸部１２ａの一部が集電端子に溶接で接合され、集電端子を介して二次電池の電極端子に電気的に接続された状態で電池ケースに収容される。そして、電解液とともに蓄電装置としての二次電池（単電池）が構成される。二次電池は単電池のままでも使用されるが、高い出力電圧や大きな電力が要求される場合は、複数の単電池が直列または並列に接続された組電池として使用される。組電池は種々の用途に使用されるが、例えば、移動体としての車両に搭載されて、走行用モータの電源として使用される。
【００３３】
この実施形態によれば、以下に示す効果を得ることができる。
（１）電極体１０の電極シート（正極シート１１及び負極シート１２）の接合構造は、電極シートとしての正極シート１１及び負極シート１２の金属箔部（凸部１１ａ，１２ａ）が複数枚積層された状態でスポット溶接により接合されている。正極シート１１及び負極シート１２の金属箔部（凸部１１ａ，１２ａ）はそれぞれ最も外側に配置される第１の最外グループＧ１及び第２の最外グループＧ２と、両最外グループＧ１，Ｇ２の間に配置される１つの中間グループＧ３とがそれぞれ複数枚で構成されている。隣り合う２つのグループ、即ち第１の最外グループＧ１と中間グループＧ３及び中間グループＧ３と第２の最外グループＧ２の金属箔部同士が溶接部１４で接合されて、全ての正極シート１１の金属箔部同士及び全ての負極シート１２の金属箔部同士がそれぞれ電気的に接続されている。両最外グループＧ１，Ｇ２を構成する電極シートの金属箔部は、隣接する中間グループＧ３の金属箔部に形成された溶接部１４と対応する箇所に全除去部１５及び切り欠き部１６が形成されている。したがって、電極シートとしての複数枚の正極シート１１及び複数枚の負極シート１２の金属箔部が溶接により接合されて構成される電極体１０の金属箔部の枚数が一度の溶接では溶接できない程多い場合でも、支障なく全ての金属箔部を電気的に接続された状態に溶接することができる。
【００３４】
（２）溶接部１４はアーク溶接で形成されている。したがって、金属箔部（凸部１１ａ，１２ａ）がアルミニウムやアルミニウム合金のようにレーザー溶接がし難い材質であっても容易に溶接することができる。また、アーク溶接の設備は、レーザー溶接の設備に比べて低コストとなる。
【００３５】
（３）隣接する２つのグループ、即ち第１の最外グループＧ１と中間グループＧ３及び第２の最外グループＧ２と中間グループＧ３は、それぞれ複数の溶接部１４で接合されているため、１つの溶接部１４で接合された場合に比べて金属箔部全体の電気抵抗が小さくなる。
【００３６】
（４）蓄電装置（二次電池）は、前記電極シートの接合構造を有する電極体１０を備えるため、その接続構造が有する効果を有する。
（第２の実施形態）
次に、本発明を具体化した第２の実施形態を図３にしたがって説明する。この実施形態では、中間グループＧ３が２つ存在する点と、両最外グループＧ１，Ｇ２及び中間グループＧ３の長さが同じに形成されている点が前記第１の実施形態と大きく異なっている。第１の実施形態と同様の部分は同一符号を付けて詳しい説明を省略する。
【００３７】
図３（ａ），（ｂ）に示すように、第１の最外グループＧ１及び第２の最外グループＧ２はそれぞれ異なる中間グループＧ３とそれぞれ２つの溶接部１４で接合されている。２つの中間グループＧ３同士も２つの溶接部１４で接合されている。両中間グループＧ３の金属箔部（凸部１１ａ）は、溶接部１４で接合される両最外グループＧ１，Ｇ２の全除去部１５と対応する箇所に全除去部１５が設けられている。
【００３８】
第１の実施形態では、隣り合う二つのグループ間に存在する溶接部１４の形成順序（溶接順序）は任意であったが、この実施形態では、中間グループＧ３同士の溶接部１４を先に形成することはできない。そのため、図３（ｃ）に示すように、第１の最外グループＧ１と中間グループＧ３との接合及び第２の最外グループＧ２と中間グループＧ３との接合を行った後、中間グループＧ３同士の接合を行う。
【００３９】
この実施形態の電極シートの接合構造は、前記第１の実施形態の（１）〜（３）と基本的に同様の効果を有するほかに、次の効果を有する。
（５）中間グループＧ３は複数設けられている。したがって、中間グループが１つ設けられている場合に比べて、接合すべき金属箔部の枚数が多い場合に容易に対応することができる。
【００４０】
（６）溶接部１４の両端部は、当該溶接部１４を介して接合されていない第１の最外グループＧ１及び第２の最外グループＧ２に設けられた切り欠き部１６に露出している。したがって、溶接部１４の端部が金属箔部（凸部１１ａ，１２ａ）の全厚みの領域よりはみ出すことが無い。
【００４１】
実施形態は前記に限定されるものではなく、例えば、次のように具体化してもよい。
○  隣り合うグループ同士を接合する場合に支障となる他のグループの凸部１１ａ，１２ａの一部を除去する形状として、図４（ａ），（ｂ），（ｃ）に示すように、切り欠き部１６を設けずに全除去部１５のみで対応してもよい。
【００４２】
○  全除去部１５を設ける場合、図４（ｂ）に示すように、１つの全除去部１５が複数の溶接部１４と対応する長さに設けてもよい。
○  両最外グループＧ１，Ｇ２及び中間グループＧ３の内の隣り合うグループ同士を接合する溶接部１４をそれぞれ複数ずつ形成せずに、図４（ａ）あるいは図４（ｃ）に示すように、１つずつ設けてもよい。
【００４３】
○  他のグループ同士の溶接に支障となる部分を除去するための形状は、全除去部１５や切り欠き部１６に限らず、例えば、図５（ａ），（ｂ）に示すように、他のグループを溶接する溶接部１４と対応する部分に孔１８（貫通孔）を形成してもよい。孔１８の形状は円形に限らず、任意の形状でよく、例えば多角形であってもよい。
【００４４】
○  第１の最外グループＧ１及び第２の最外グループＧ２を構成する電極シートの金属箔部（凸部１１ａ，１２ａ）を、隣接する中間グループＧ３の金属箔部（凸部１１ａ，１２ａ）に形成された溶接部１４と対応する箇所が除去された形状として、全除去部１５を設けずに、図５（ｃ）に示すように、切り欠き部１６のみを設けたり、図５（ｄ）に示すように、切り欠き部１６と孔１８とを設けたりしてもよい。
【００４５】
○  電極体１０は、積層型に限らず、例えば、図６に示すように、帯状の正極シート１１及び帯状の負極シート１２を、帯状のセパレータ１３を挟んだ積層状態で巻回して長円柱状に形成された巻回型であってもよい。
【００４６】
○  溶接部１４は、アーク溶接に限らず、超音波溶接やレーザー溶接でスポット溶接を行って形成してもよい。
○  移動体は走行用モータを備えた一般の車両に限らず、例えば、フォークリフト、ショベルローダー、トーイングトラクター等の他の産業車両であってもよい。また、運転者を必要とする車両に限らず無人搬送車でもあってもよい。
【００４７】
○  移動体は、車両に限らず、船舶やロボットであってもよい。
○  蓄電装置は、二次電池（単電池）や組電池に限らず、例えば、電気二重層キャパシタやリチウムイオンキャパシタ等のようなキャパシタや、キャパシタが端子接続部材により電気的に直列又は並列に接続されたものであってもよい。
【符号の説明】
【００４８】
Ｇ１…第１の最外グループ、Ｇ２…第２の最外グループ、Ｇ３…中間グループ、１０…電極体、１１…正極シート、１２…負極シート、１１ａ，１２ａ…金属箔部としての凸部、１４…溶接部、１６…切り欠き部。
【図１】
0005751203.tif 000002
【図２】
0005751203.tif 000003
【図３】
0005751203.tif 000004
【図４】
0005751203.tif 000005
【図５】
0005751203.tif 000006
【図６】
0005751203.tif 000007
【図７】
0005751203.tif 000008
【図８】
0005751203.tif 000009
【図９】
0005751203.tif 000010